(57)【要約】【課題】換気扇の羽根車は、塵が付着し掃除が困難であるとともに、性能低下や騒音上昇の原因にもなるため、羽根車に塵の付着しない掃除性の良い換気扇が要求されている。【解決手段】本体１を備え、前記本体１に電動機２によって駆動されるファン３と前記ファン３により吸込まれる空気の吸込口４と前記吸込口４から吸込まれた空気を前記ファン３により吐出する吐出口５と前記吸込口４と前記ファン３の間に設けられたチャンバー６と仕切り板７を備え、前記仕切り板７は前記ファン３と前記チャンバー６を仕切り、前記仕切り板７に前記ファン３のファン吸込口８を備え、前記ファン吸込口８に前記ファン３と前記チャンバー６を連通する円筒ダクト９を備え前記円筒ダクト９の吸込口である円筒ダクト吸込口１０を前記円筒ダクト９に備え、前記吸込口４から前記円筒ダクト吸込口１０に吸込まれる吸込空気を旋回させ吸込み空気中の塵埃を回収するようにしたものである。【選択図】図１
2006349236.tif 000002
【特許請求の範囲】
【請求項１】
本体を備え、前記本体に電動機によって駆動されるファンと前記ファンにより吸込まれる空気の本体吸込口を本体に備え、前記本体吸込口から吸込まれた空気を前記ファンにより吐出する吐出口と前記本体吸込口と前記ファンの間に設けられたチャンバーと仕切り板を備え、前記仕切り板は前記ファンと前記チャンバーを仕切り、前記仕切り板に前記ファンのファン吸込口を備えた換気扇において、前記ファン吸込口に前記ファンと前記チャンバーを連通する円筒ダクトを備え前記円筒ダクトの吸込口である円筒ダクト吸込口を前記円筒ダクトに備え、前記本体吸込口から前記円筒ダクト吸込口に吸込まれる吸込空気を旋回させ吸込み空気中の塵埃を回収するようにしたことを特徴とする換気扇。
【請求項２】
吸込空気を旋回させる旋回用固定フインを備えた請求項１記載の換気扇。
【請求項３】
円筒ダクト吸込口の吸込み端面と平行に円板を備え、前記円筒ダクト吸込口と前記円板の間に吸込空間を備え、前記円板の周囲に旋回用固定フインを備えた請求項１あるいは２記載の換気扇。
【請求項４】
チャンバーの内面に塵埃を回収する塵埃回収箱を備えた請求項１〜３のいずれかに記載の換気扇。
【請求項５】
チャンバー内に、複数の吹出口を設け、ファンからの吐出空気の一部を旋回して吹出すようにした請求項１〜４のいずれかに記載の換気扇。
【請求項６】
チャンバー内に、複数の吹出口と前記吹出口から空気を吹出す補助ファンを備え、前記補助ファンからの吹出し空気の一部を円筒ダクト吸込口側に旋回して吹出すようにした請求項３〜５のいずれかに記載の換気扇。
【請求項７】
電動機によって駆動されるファンは屋外に設置されることを特徴とした請求項１〜４、あるいは６のいずれかに記載の換気扇。
【請求項８】
電動機によって駆動されるファンは屋外に設置され、補助ファンを備え、前記補助ファンにより空気を円筒ダクト吸込口側に旋回して吹出すことを特徴とした請求項１〜５、あるいは７のいずれかに記載の換気扇。
【発明の詳細な説明】
【技術分野】
【０００１】
本発明は、天井や壁面に使用される換気送風機器に使用される換気扇に関するものである。
【背景技術】
【０００２】
従来、この種の換気扇は家庭や事務所で使用されているものがあった（例えば特許文献１参照）。
【０００３】
以下、この種の換気扇について、図８を参照しながら説明する。
【０００４】
図に示すように、本体１０１の吸込側には、円筒ダクト１０２が、設置されている形状となっている。
【０００５】
上記構成により、羽根車１０３が回転すると、吸込口１０４より空気が流入し吐出口１０５に出るが、このとき羽根車１０３には、塵が付き、掃除性は困難で、性能低下や騒音上昇の原因にもなる。
【特許文献１】特開平８−９４１４６号公報
【発明の開示】
【発明が解決しようとする課題】
【０００６】
このような従来の換気扇では、羽根車に塵が付着し、掃除が困難でありとともに、性能低下や騒音上昇の原因にもなるという課題があり、羽根車に塵の付着しない掃除性の良い換気扇とすることが要求されている。
【０００７】
本発明は、このような従来の課題を解決するものであり、吸込空気を旋回させ塵を回収できるようにした換気扇を提供することを目的としている。
【課題を解決するための手段】
【０００８】
本発明の換気扇は、上記目的を達成するために、本体を備え、前記本体に電動機によって駆動されるファンと前記ファンにより吸込まれる空気の本体吸込口を本体に備え、前記本体吸込口から吸込まれた空気を前記ファンにより吐出する吐出口と前記本体吸込口と前記ファンの間に設けられたチャンバーと仕切り板を備え、前記仕切り板は前記ファンと前記チャンバーを仕切り、前記仕切り板に前記ファンのファン吸込口を備えた換気扇において、前記ファン吸込口に前記ファンと前記チャンバーを連通する円筒ダクトを備え前記円筒ダクトの吸込口である円筒ダクト吸込口を前記円筒ダクトに備え、前記本体吸込口から前記円筒ダクト吸込口に吸込まれる吸込空気を旋回させ吸込み空気中の塵埃を回収するようにしたものである。
【０００９】
本発明によれば、吸込空気を旋回させることにより、ファンに入ってくるまでに大きな塵を回収し、課題となっている掃除性を良くすることができる換気扇が得られる。
【００１０】
また、他の手段は、上記目的を達成するために、吸込空気を旋回させる旋回用固定フインを設置したものである。
【００１１】
本発明によれば、吸込空気を旋回させることにより、ファンに入ってくるまでに大きな塵を回収し、課題となっている掃除性を良くすることができる換気扇が得られる。
【００１２】
また、他の手段は、上記目的を達成するために、円筒ダクト吸込口の吸込み端面と平行に円板を備え、前記円筒ダクト吸込口と前記円板の間に吸込空間を備え、前記円板の周囲に旋回用固定フインを備えたものである。
【００１３】
本発明によれば、吸込空気を旋回させることにより、ファンに入ってくるまでに大きな塵を回収し、課題となっている掃除性を良くすることができる換気扇が得られる。
【００１４】
また、他の手段は、上記目的を達成するために、チャンバーの内面に塵埃を回収する塵埃回収箱を設置したものである。
【００１５】
本発明によれば、塵の回収箱に塵を集めた後、塵の回収を可能とし、掃除性を良くすることができる換気扇が得られる。
【００１６】
また、他の手段は、上記目的を達成するために、チャンバー内に、複数の吹出口を設け、ファンからの吐出空気の一部を旋回して吹出すようにしたものである。
【００１７】
本発明によれば、吸込空気を旋回させることにより、ファンに入ってくるまでに大きな塵を回収し、課題となっている掃除性を良くすることができる換気扇が得られる。
【００１８】
また、他の手段は、上記目的を達成するために、チャンバー内に、複数の吹出口と前記吹出口から空気を吹出す補助ファンを備え、前記補助ファンからの吹出し空気の一部を円筒ダクト吸込口側に旋回して吹出すようにしたものである。
【００１９】
本発明によれば、吸込空気を旋回させることにより、ファンに入ってくるまでに大きな塵を回収し、課題となっている掃除性を良くすることができる換気扇が得られる。
【００２０】
また、他の手段は、上記目的を達成するために、電動機によって駆動されるファンは、屋外に設置されることを特徴としたものである。
【００２１】
本発明によれば、ファンに入ってくるまでに大きな塵を回収し、かつ配管ダクト内で塵が付着するので、ファンに入ってくるまでに大きな塵は無くなり課題となっている掃除性を良くすることができる換気扇が得られる。
【００２２】
また、他の手段は、上記目的を達成するために、電動機によって駆動されるファンは屋外に設置され、補助ファンを備え、前記補助ファンにより空気を円筒ダクト吸込口側に旋回して吹出すことを特徴としたものである。
【００２３】
本発明によれば、ファンに入ってくるまでに大きな塵を回収し、かつ配管ダクト内で塵が付着するので、ファンに入ってくるまでに大きな塵は無くなり、かつファンの風量も減ることがないので、課題となっている掃除性を良くすることができる換気扇が得られる。
【発明の効果】
【００２４】
本発明によれば、吸込空気を旋回させることにより、ファンに入ってくるまでに大きな塵を回収し、ファンに入るのは小さい塵のみとし、ファンに塵が付着しないようにし、掃除性を良くすることができる換気扇を提供することができる。
【発明を実施するための最良の形態】
【００２５】
本願発明は、電動機によって駆動されるファンと、ケーシングを有し、吸込口を円筒ダクト状とし、前記円筒ダクト状の吸込ダクトの外側に矩形状の本体を有し、かつ吸込空気を旋回させ塵を回収できるようにした換気扇としたものである。
【００２６】
本発明によれば、課題となっている塵の回収を可能とし、掃除性を良くすることができる換気扇を提供することができる。
【００２７】
以下に、本発明の実施の形態について、図面を参照しながら説明する。
【００２８】
（実施の形態１）
図１は本発明の実施の形態１の換気扇の構造図であり、図１（ａ）は同側断面、図１（ｂ）は同正面図、図１（ｃ）は旋回固定フインの断面図を示す。
【００２９】
図１（ａ）および図１（ｂ）および図１（ｃ）に示すように、本体１を備え、前記本体１に電動機２によって駆動されるファン３と前記ファン３により吸込まれる空気の吸込口４と前記吸込口４から吸込まれた空気を前記ファン３により吐出する吐出口５と前記吸込口４と前記ファン３の間に設けられたチャンバー６と仕切り板７を備え、前記仕切り板７は前記ファン３と前記チャンバー６を仕切り、前記仕切り板７に前記ファン３のファン吸込口８を備え、前記ファン吸込口８に前記ファン３と前記チャンバー６を連通する円筒ダクト９を備え前記円筒ダクト９の吸込口である円筒ダクト吸込口１０を前記円筒ダクト９に備え、前記吸込口４から前記円筒ダクト吸込口１０に吸込まれる吸込空気を旋回させ吸込み空気中の塵埃を回収するようにしている。また、前記吸込口４に吸込まれる吸込空気を旋回させるため吸込空気を旋回させる旋回用固定フイン１１を前記チャンバー６の内面１２に設置したものである。また、前記旋回用固定フイン１１は、前記ファン吸込口８の吸込面に対し平行で、かつ吸込面に対し傾斜角αを持った形状としている。
【００３０】
上記構成において、電動機２によりファン３が回転すると、ファン吸込口８は負圧になり、吸込口４より空気が吸引される。この時吸込口４には、旋回固定フイン１１が複数設置され、いずれも反時計方向にαの傾斜角を持って設置されているので、吸込口より吸い込まれた空気は、旋回固定フイン１１に衝突し、傾斜角αの旋回固定フイン１１に沿って、図１（ｂ）で正面から見て反時計方向に回転する。この傾斜角度を、反対方向に旋回した場合には、時計方向に回転する。この回転により吸込空気に遠心力が働き、大きな塵埃は、チャンバー６の内面１２まで飛ばされ、円筒ダクト９の吸込口１０には行かないので、ファン２を通過することはない。
【００３１】
これにより、吸込空気を旋回させるので、比重の大きい塵はチャンバー６の内面１２に集まり、前記ファン吸込口８からは、小さい塵のみを吸い込むことができ、ファン３に入る塵埃は、小さいもののみなので、ブレード間の狭い空間を通ることが可能であり、屋外に排出される。このため、ファン３に付着する塵は少さいもののみとなるので、掃除性がよくなる。
【００３２】
（実施の形態２）
図２は本発明の実施の形態２における換気扇の断面図である。
【００３３】
なお、実施の形態１と同一部分については同一番号を付し、詳細な説明を省略する。
図２に示すように、ファン吸込口８を円筒ダクト９とし、前記円筒ダクト９を本体１内に備え、前記円筒ダクト９の吸込口である円筒ダクト吸込口１０と平行に空気を通さない円板１３を備え、前記円筒ダクト吸込口１０と前記円板１３の間に吸込空間１４を備え、前記円板１３の周囲に旋回用固定フイン１１を備えている。空気を通さない前記円板１３があるので、吸込空気は確実に旋回し、塵を分別する効果は前記円板１３がない場合より大きい。
【００３４】
上記構成において、電動機２によりファン３が回転すると、ファン吸込口８は負圧になり、吸込口４より空気が吸引される。この時吸込口４には、旋回固定フイン１１が複数設置され、いずれも反時計方向にαの傾斜角を持って設置されているので、吸込口より吸い込まれた空気は、旋回固定フイン１１に衝突し、傾斜角αの旋回固定フイン１１に沿って、図１（ｂ）で正面から見て反時計方向に回転する。さらに、吸込口４の中央部には空気を通さない円板１３が設置されているので、吸込口４からの空気は、円筒ダクト９の円筒ダクト吸込口１０に旋回せずに直接吸い込まれる空気は少なく、旋回固定フイン１１により確実に旋回させられるので、ファン２を通る大きな塵埃は極端に少なくなる。この傾斜角度を、反対方向に旋回した場合には、時計方向に回転する。この回転により吸込空気に遠心力が働き、大きな塵埃は、チャンバー６の内面１２まで飛ばされ、円筒ダクト９の吸込口１０には行かないので、ファン２を通過することはない。
【００３５】
これにより、吸込空気を旋回させるので、比重の大きい塵は本体１の内面１２に集まり、前記円筒ダクト９からは、小さい塵のみを吸い込むことができ、前記ファン３に入る塵は、小さいもののみなので、ファン３のブレード間の狭い空間を通ることが可能であり、屋外に排出される。このため、ファン３に付着する塵は少さいもののみとなるので、掃除性がよくなる。
【００３６】
（実施の形態３）
図３は本発明の実施の形態３における換気扇の断面図である。
【００３７】
なお、実施の形態１または２と同一部分については同一番号を付し、詳細な説明を省略する。
【００３８】
図３に示すように、本体１のチャンバー６の内面１２下部には塵回収箱１５を設置したものである。
【００３９】
これにより、吸込空気を旋回させ、比重の大きい塵はチャンバー７の内面１２に集まり、塵回収箱１５に集まり、まとめて回収することができる。このため、ファン３に付着する塵は少さいもののみとなるので、掃除性がよくなる。
【００４０】
（実施の形態４）
図４は本発明の実施の形態４における換気扇の断面図である。
【００４１】
なお、実施の形態１乃至３のいずれかと同一部分については同一番号を付し、詳細な説明を省略する。
【００４２】
図４に示すように、本体１のチャンバー６内に、複数の吹出口１６を設け、ファン３の空気の一部を旋回して吹き出すようにしたものである。
【００４３】
これにより、吸込空気を旋回させるので、比重の大きい塵はチャンバー６の内面１２に集まり、前記ファン吸込口８からは、小さい塵のみを吸い込むことができ、ファン３に入る塵は、小さいもののみなので、ブレード間の狭い空間を通ることが可能であり、屋外に排出される。このため、ファンに付着する塵は小さいもののみとなるので、掃除性がよくなる。
【００４４】
（実施の形態５）
図５は本発明の実施の形態５における換気扇の断面図である。
【００４５】
なお、実施の形態１乃至４のいずれかと同一部分については同一番号を付し、詳細な説明を省略する。
【００４６】
図５に示すように、本体１のチャンバー６内に、複数の吹出口１６を設け、補助ファン１７からの空気の一部を円筒ダクト９側に旋回して吹き出すようにしたものである。
【００４７】
これにより、吸込空気を旋回させるので、比重の大きい塵はチャンバー６の内面１２に集まり、前記ファン吸込口８からは、小さい塵のみを吸い込むことができ、前記ファン３に付着する塵は少なくすることができるので、掃除性がよくなる。
【００４８】
（実施の形態６）
図６は本発明の実施の形態６における換気扇の断面図である。
【００４９】
なお、実施の形態１乃至５のいずれかと同一部分については同一番号を付し、詳細な説明を省略する。
【００５０】
図６に示すように、電動機２によって駆動されるファン３は、屋外に設置したものである。
【００５１】
これにより、ファン３に入ってくるまでに大きな塵を回収し、かつ配管ダクト１８内で塵が付着するので、ファン３に入ってくるまでに大きな塵は無くなり、課題となっている掃除性を良くすることができ、掃除性がよくなるとともに、室内騒音も低い換気扇となる。
【００５２】
（実施の形態７）
図７は本発明の実施の形態７における換気扇の断面図である。
【００５３】
なお、実施の形態１乃至６のいずれかと同一部分については同一番号を付し、詳細な説明を省略する。
【００５４】
図７に示すように、電動機２によって駆動されるファン３は、屋外に設置したものである。これにより、前記ファン３に入ってくるまでに大きな塵を回収し、かつ配管ダクト１８内で塵が付着するので、前記ファン３に入ってくるまでに大きな塵は無くなり、課題となっている掃除性を良くすることができる。また、電動機２およびファン３は、屋外に設置してあるので、掃除性がよくなるとともに、室内騒音も低い換気扇となる。
【産業上の利用可能性】
【００５５】
本発明の換気扇は、吸い込み気流を旋回させ、ファンに付着する塵を少なくし、掃除性の良い換気扇を提供するものである。
【図面の簡単な説明】
【００５６】
【図１】本発明の実施の形態１の換気扇の構造図（ａ）本発明の実施の形態１の換気扇の側断面図（ｂ）同正面図（ｃ）旋回固定フインの断面図
【図２】同実施の形態２の換気扇の側断面図
【図３】同実施の形態３の換気扇の側断面図
【図４】同実施の形態４の換気扇の側断面図
【図５】同実施の形態５の換気扇の側断面図
【図６】同実施の形態６の換気扇の側断面図
【図７】同実施の形態７の換気扇の側断面図
【図８】従来の換気扇の側断面図
【符号の説明】
【００５７】
１        本体
２        電動機
３        ファン
４        吸込口
５        吐出口
６        チャンバー
７        仕切り板
８        ファン吸込口
９        円筒ダクト
１０      円筒ダクト吸込口
１１      旋回用固定フイン
１２      内面
１３      円板
１４      吸込空間
１５      塵回収箱
１６      吹出口
１７      補助ファン
１８      配管ダクト
１０１    本体
１０２    円筒ダクト
１０３    羽根車
１０４    吸込口
１０５    吐出口
【図１】
2006349236.tif 000003
【図２】
2006349236.tif 000004
【図３】
2006349236.tif 000005
【図４】
2006349236.tif 000006
【図５】
2006349236.tif 000007
【図６】
2006349236.tif 000008
【図７】
2006349236.tif 000009
【図８】
2006349236.tif 000010